(57)【要約】  伸縮性ベース生地(1)と、部分的に非伸縮性ないしは低伸縮性素材を含み、着用者の表面に密着した状態で着用されるスポーツウエア(10)であって、前記非伸縮性ないしは低伸縮性素材は、少なくともウェスト背面を覆う領域Ａ(2a,2b)、臀部の膨隆部を含む領域Ｂ(3a,3b)及び大腿部の後面を含む領域Ｃ(4a,4b)に分割して配置し、股関節伸展方向の張力を補強する。これにより、上半身に対する下半身の屈曲を抑制し、身体凸部を滑らかにする機能を有し、かつ動き易い機能を満足するスポーツウエアを提供する。
2010007986.tif 000002
【特許請求の範囲】
【請求項１】
伸縮性ベース生地と、部分的に非伸縮性ないしは低伸縮性素材を含み、着用者の表面に密着した状態で着用されるスポーツウエアであって、
前記非伸縮性ないしは低伸縮性素材は、少なくともウェスト背面を覆う領域Ａ、臀部の膨隆部を含む領域Ｂ及び大腿部の後面を含む領域Ｃに分割して配置し、
股関節伸展方向の張力を補強することを特徴とするスポーツウエア。
【請求項２】
前記非伸縮性ないしは低伸縮性領域Ｃが、連続的に大腿内側面を含む領域Ｃ’である請求項１に記載のスポーツウエア。
【請求項３】
前記非伸縮性ないしは低伸縮性領域Ｃが、大腿部を巻回する領域Ｃ”である請求項１に記載のスポーツウエア。
【請求項４】
前記非伸縮性ないしは低伸縮性領域として、さらに大頭四頭筋を覆う領域Ｄに分離して配置した請求項１〜３のいずれかに記載のスポーツウエア。
【請求項５】
前記領域Ａと前記領域Ｂとの分割部の形状が、縦方向後面から見て逆ハの字状である請求項１〜４のいずれかに記載のスポーツウエア。
【請求項６】
前記領域Ｂと、前記領域Ｃ、領域Ｃ’又はＣ”との分割部の形状が、縦方向後面から見てハの字状又は中央部が凹んでいる形状である請求項１〜４のいずれかに記載のスポーツウエア。
【請求項７】
前記非伸縮性ないしは低伸縮性素材が、織物又は編物で形成されている請求項１〜６のいずれかに記載のスポーツウエア。
【請求項８】
前記非伸縮性ないしは低伸縮性素材が、織物又は編物にエラストマー樹脂又はゴムを含浸させるか若しくは貼り付けたシートで形成されている請求項１〜７のいずれかに記載のスポーツウエア。
【請求項９】
前記非伸縮性ないしは低伸縮性素材が、前記伸縮性ベース生地に縫い付けられるか又は刺繍されて形成されている請求項１〜８のいずれかに記載のスポーツウエア。
【請求項１０】
前記非伸縮性ないしは低伸縮性素材は、ＪＩＳ１０９６で測定した４．９Ｎ（５００ｇｆ）荷重時の伸長率が身体の長軸方向に０％以上１０％未満である請求項１〜９のいずれかに記載のスポーツウエア。
【請求項１１】
前記伸縮性ベース生地が弾性糸を含む糸で構成されたワンウエイ又はツーウエイの織物又は編物である請求項１に記載のスポーツウエア。
【請求項１２】
前記伸縮性ベース生地は、ＪＩＳ１０９６で測定した４．９Ｎ（５００ｇｆ）荷重時の伸長率が身体の長軸方向に１０％以上の生地である請求項１又は１１に記載のスポーツウエア。
【請求項１３】
前記スポーツウエアは、さらに脛部にＶ字又はＵ字形の非伸縮性ないしは低伸縮性素材が配置され補強されている請求項１〜１２のいずれかに記載のスポーツウエア。
【請求項１４】
前記スポーツウエアは、スパッツタイプ又はワンピースタイプの水着である請求項１〜１３のいずれかに記載のスポーツウエア。
【請求項１５】
前記ワンピースタイプの水着には、左右胸部と腹部に非伸縮性ないしは低伸縮性素材が配置されて補強されている請求項１４に記載のスポーツウエア。
【請求項１６】
前記非伸縮性ないしは低伸縮性素材にはスリットを設けている請求項１〜１５のいずれかに記載のスポーツウエア。
【発明の詳細な説明】
【技術分野】
【０００１】
本発明は、着用者の表面にほぼ密着した状態で着用されるスポーツウエアに関する。
【背景技術】
【０００２】
競泳においては、水の抵抗を低くした水着が求められる。水の抵抗は身体表面を流れる水と身体あるいは水着の流体摩擦抵抗と、身体形状に依存する形状抵抗とに分けられる。従来の水着は、素材の摩擦抵抗を低減することに着目しており（例えば特許文献１〜３）、流体抵抗の中で比率の高い形状抵抗を下げるための工夫はされてこなかった。【０００３】
形状抵抗を下げるには、臀部や女性の胸部のふくらみなど、身体の凸部をできるだけ無くすことが求められる。また、競泳動作中に形状抵抗を高める要因として、とくに疲労時に見られる上半身に対する下半身の屈曲も挙げられる。これらはいずれも身体の進行方向から見た投影面積を増大させ、形状抵抗を高める原因となる。以上から、形状抵抗を低減させるためには、身体のふくらみを抑えること及び下半身の屈曲を抑制することが求められる。下半身の屈曲を抑制するには、主に股関節の伸展方向に張力がかかるように設計する必要がある。これを実現するために、従来は強緊締素材と弱緊締素材で覆うことにより、股関節の伸展方向に張力がかかるようにしている。また陸上競技用スパッツでは、臀部を面状の強緊締素材で覆うことにより、地面をける動作、すなわち股関節の伸展動作をサポートしている（特許文献４）。しかし、これらの従来例においても、上半身に対する下半身の屈曲を抑制し、身体凸部を滑らかにする機能と動き易い機能を満足するには問題があった。
【先行技術文献】
【特許文献】
【０００４】
【特許文献１】特許第２７１５０８８号明細書
【特許文献２】特開２００４−２９２９６２号公報
【特許文献３】ＷＯ２００７／１４２２３２号明細書
【特許文献４】特開２００５−１４６４５０号公報
【発明の概要】
【発明が解決しようとする課題】
【０００５】
本発明は、前記従来の問題を解決するため、上半身に対する下半身の屈曲を抑制し、身体凸部を滑らかにする機能を有し、かつ動き易い機能を満足するスポーツウエアを提供する。
【課題を解決するための手段】
【０００６】
本発明のスポーツウエアは、伸縮性ベース生地と、部分的に非伸縮性ないしは低伸縮性素材を含み、着用者の表面に密着した状態で着用されるスポーツウエアであって、前記非伸縮性ないしは低伸縮性素材は、少なくともウェスト背面を覆う領域Ａ、臀部の膨隆部を含む領域Ｂ及び大腿部の後面を含む領域Ｃに分割して配置し、股関節伸展方向の張力を補強することを特徴とする。
【発明の効果】
【０００７】
本発明のスポーツウエアは、伸縮性ベース生地と部分的に非伸縮性ないしは低伸縮性素材を含み、非伸縮性ないしは低伸縮性素材は少なくともウェスト背面を覆う領域Ａ、臀部の膨隆部を含む領域Ｂ及び大腿部の後面を含む領域Ｃに分割して配置し、股関節伸展方向の張力を補強することにより、尻部から大腿部後面を吊り上げる機能を発揮させ、上半身に対する下半身の屈曲を抑制し、身体凸部を滑らかにする機能を有し、かつ動き易い機能を満足させることができる。【０００８】
すなわち、領域Ａ〜Ｃに非伸縮性ないしは低伸縮性素材を分割して配置することにより、股関節伸展方向の張力を補強し、尻部から大腿部後面を吊り上げる機能を発揮させ、上半身に対する下半身の屈曲を抑制できる。また、非伸縮性ないしは低伸縮性素材は動作によって張力がかかっても、それ自体はほとんどあるいは全く伸びない。このため、非伸縮性ないしは低伸縮性素材からなる領域にかかった張力は皮膚の方向への力となり、身体凸部を圧迫する。領域Ａ〜Ｃは筋肉の盛り上がりがある部分であり、この部分に非伸縮性ないしは低伸縮性素材を配置することにより、身体凸部を滑らかにする機能を発揮する。特に領域Ｂ及びＣは、それぞれ大臀筋及びハムストリングス等、股関節の伸展に寄与する筋群が存在する部位であり、これらの領域を圧迫することで筋内圧を高め、効果的に股関節伸展方向に筋力を発揮しやすい状態にする。その結果、尻部から大腿部後面を吊り上げる機能を発揮させ、上半身に対する下半身の屈曲を抑制し、身体凸部を滑らかにする機能を有し、かつ動き易い機能を満足させることができる。
【図面の簡単な説明】
【０００９】
【図１】図１Ａは本発明の一実施例における水泳用ハーフスパッツの正面図、図１Ｂは同背面図である。
【図２】図２Ａは本発明の別の実施例における水泳用ハーフスパッツの正面図、図２Ｂは同背面図である。
【図３】図３Ａは本発明のさらに別の実施例における水泳用ハーフスパッツの正面図、図３Ｂは同背面図である。
【図４】図４Ａは本発明のさらに別の実施例における水泳用ハーフスパッツの正面図、図４Ｂは同背面図である。
【図５】図５は人体の大臀筋の筋線維走行方向を示す説明図である。
【図６】図６は本発明の一実施例における水泳用ハーフスパッツの伸び方向を示す説明図である。
【図７】図７は比較例における水泳用ハーフスパッツの伸び方向を示す説明図である。
【図８Ａ】図８Ａは本発明の一実施例におけるワンピースタイプの水着の正面図である。
【図８Ｂ】図８Ｂは同背面図である。
【図９Ａ】図９Ａは本発明の別の実施例におけるワンピースタイプの水着の正面図である。
【図９Ｂ】図９Ｂは同背面図である。
【発明を実施するための形態】
【００１０】
本発明のスポーツウエアは、伸縮性ベース生地と部分的に非伸縮性ないしは低伸縮性素材を含み、非伸縮性ないしは低伸縮性素材は、少なくともウェスト背面を覆う領域Ａ、臀部の膨隆部を含む領域Ｂ及び大腿部の後面を含む領域Ｃに分割して配置し、前記Ａ〜Ｃの各領域間及びその他の領域には、前記伸縮性ベース生地を配置し、股関節伸展方向の張力を補強する。
【００１１】
前記非伸縮性ないしは低伸縮性素材は、非弾性糸を使用した織物、例えばポリエステル（ポリエチレンテレフタレート、ポリトリメチレンテレフタレート、ポリブチレンテレフタレートなど）繊維糸、ポリアミド繊維糸、アセテート繊維糸、コットン繊維糸、レーヨン繊維糸、エチレンビニルアルコール繊維糸などを使用した織物がある。このうち、熱可塑性であり、熱セット性が良く、疎水性であるポリエチレンテレフタレート（ＰＥＴ）繊維糸が好ましい。織物としては、平織、斜文織、朱子織、変化平織、変化斜文織、変化朱子織、変わり織、紋織、片重ね織、二重組織、多重組織、経パイル織、緯パイル織、絡み織等がある。このうち、スポーツ用途としては平織が風合いや強度等に優れる。通常、織物は経糸と緯糸で構成されており、ポリエステル繊維糸のようにリジッドな糸を使用した場合は、経方向にも緯方向にもほとんど伸びは生じない。
【００１２】
前記非伸縮性ないしは低伸縮性素材の別の例は、非弾性糸を使用した編物がある。編物としては、丸編、緯編、経編、パイル編等を含み、平編、天竺編、リブ編、スムース編（両面編）、ゴム編、パール編、デンビー組織、コード組織、アトラス組織、鎖組織、挿入組織などがある。編物は基本的にはループで構成されるので、ポリエステル繊維糸のようにリジッドな糸を使用しても、応力がかかった場合、ループが変形して伸びが生ずる。しかし寸法変化は僅かであるから、このような編物は非伸縮性ないしは低伸縮性素材に含まれる。
【００１３】
前記非伸縮性ないしは低伸縮性素材のさらに別の例は、織物又は編物に、エラストマー樹脂又はゴムを含浸させるか貼り付けたシートである。伸縮性ベース生地にエラストマー樹脂又はゴムを含浸させるか又は貼り付けても良い。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Syn-1,2-ポリブタジエン系エラストマー、Trans-1,4-ポリイソプレン系エラストマー、フッ素系エラストマー等がある。これらは「プラスチック・データーブック」、１９９９年１２月１日、工業調査会発行、８５４〜９１０頁に記載されている。ゴムとしては、シリコーンゴム、フッ素ゴム、ウレタンゴム、合成ゴム、天然ゴム等がある。
【００１４】
前記非伸縮性ないしは低伸縮性素材からなる領域の周囲に段階的又は傾斜的に非伸縮性ないしは低伸縮性素材を配置してもよい。また、前記段階的又は傾斜的に配置した非伸縮性ないしは低伸縮性素材の形状が、円状、楕円状、丸みを帯びた多角形又は線状であることが好ましい。
【００１５】
前記非伸縮性ないしは低伸縮性素材は、前記伸縮性ベース生地に縫い付けてもよい。これは、切り返し、すなわち生地に穴を開けて、別の生地を縫い付けるという手法でも良いし、前記伸縮性ベース生地の上に別の生地を縫い付けるという手法でも良い。あるいは、前記伸縮性ベース生地にエラストマー樹脂又はゴムを含浸させるか貼り付けたシートをさらに縫い付けてもよい。
【００１６】
前記非伸縮性ないしは低伸縮性素材のさらに別の例は、前記伸縮性ベース生地を非弾性糸によって刺繍したものである。非弾性糸は、例えばポリエステル（ポリエチレンテレフタレート、ポリトリメチレンテレフタレート、ポリブチレンテレフタレートなど）繊維糸、ポリアミド繊維糸、アセテート繊維糸、コットン繊維糸、レーヨン繊維糸、エチレンビニルアルコール繊維糸などがある。このうち、熱可塑性であり、熱セット性が良く、疎水性であるポリエチレンテレフタレート（ＰＥＴ）繊維糸が好ましい。
【００１７】
前記非伸縮性ないしは低伸縮性素材のＪＩＳ１０９６で測定した４．９Ｎ（５００ｇｆ）荷重時の伸長率が身体の長軸方向に０％以上１０％未満であることが好ましい。これにより、人体の尻から大腿部後面の補強効果をさらに増大できる。
【００１８】
前記非伸縮性ないしは低伸縮性素材の目付けは、１００〜４００ｇ／ｍ２の範囲が好ましい。この範囲であれば透けなどの問題を起こさず、審美性に適しており、また重量感もなく着用性が高い。
【００１９】
また、本発明においては、前記非伸縮性ないしは低伸縮性素材を、大腿後部だけでなく、さらに大腿内側部を覆う連続した領域Ｃ’に配置することも好ましい。これにより、尻部から大腿後面を吊り上げる機能をより強化することができ、さらに股関節内転筋群を覆うことによって、股関節が外転することによる形状抵抗の増大を抑制することができる。
【００２０】
さらに、本発明においては、前記非伸縮性ないしは低伸縮性素材を、大腿後部だけでなく、さらに大腿部を巻回するように覆う連続した領域Ｃ”に配置することも好ましい。これにより尻部から大腿後面を吊り上げる機能をより強化することができ、さらに大腿部のふくらみも抑え、水の抵抗を低くすることができる。
【００２１】
本発明においては、前記非伸縮性ないしは低伸縮性素材を、さらに大頭四頭筋を覆う領域Ｄに分離して配置することも好ましい。これにより大腿部のふくらみを抑え、水の抵抗を低くすることができる。
【００２２】
前記領域Ａと前記領域Ｂとの分割部の形状は、縦方向後面から見て逆ハの字状であることが好ましい。これにより、尻部から大腿後面を吊り上げる機能をより強化することができ、さらに人体の動きを阻害しない機能が得られる。
【００２３】
前記領域Ｂと前記領域Ｃとの分割部の形状が、縦方向後面から見てハの字状又は中央部が凹んでいる形状であることが好ましい。前記同様に尻部から大腿後面を吊り上げる機能をより強化することができる。
【００２４】
本発明で使用する伸縮性ベース生地は、弾性糸を含むワンウエイ又はツーウエイの織物又は編物が好ましい。弾性糸は、ポリウレタン系弾性糸及びポリエステル系弾性糸から選ばれる少なくとも一つであることが好ましい。ストレッチ性が高く、スポーツ衣料に適しているからである。前記弾性糸は、ベアヤーン（裸糸）として、非弾性糸（リジッド糸）と引きそろえて使用しても良いし、又は表面にポリエステル繊維もしくはナイロン繊維が被覆されたカバードヤーンとして使用しても良い。
【００２５】
前記伸縮性ベース生地は、ＪＩＳ１０９６で測定した４．９Ｎ（５００ｇｆ）荷重時の伸長率が身体の長軸方向に１０％以上の生地（織物又は編物）が好ましい。この範囲であれば身体の動きに追従し着用性が高い。とくに前記領域Ａ〜Ｄを分割している部分に配置する伸縮性素材は伸びやすい素材が好ましい。領域Ａ〜Ｄの素材は伸びにくいため、バランスを取るためである。伸縮性ベース生地の目付けは１００〜４００ｇ／ｍ２の範囲が好ましい。この範囲であれば透けなどの問題を起こさず、審美性に適しており、また重量感もなく着用性が高い。
【００２６】
本発明において、「ほぼ密着」の状態を作るには、人体の裸のサイズに対して、周囲方向は５０％以上１１０％以下、さらに好ましくは７０％以上９５％以下、丈は７５％以上１００％以下、さらに好ましくは８５％以上１００％以下としてスポーツウエアを形成する。もちろん人体のサイズは個人差があるので、前記の比率は目安である。より具体的には、ＪＡＳＰＯ規格に従ってサイズを決める。
【００２７】
前記スポーツウエアは、スポーツ用スパッツに好適である。具体的にはハーフスパッツ、ロングスパッツ等に好適である。前記スポーツウエアは、上半身を覆うハーフスーツ、ロングスーツあるいはフルスーツ等のワンピースタイプであってもよい。
【００２８】
本発明においては、さらに脛部にＶ字又はＵ字形の非伸縮性ないしは低伸縮性素材が配置され補強されていてもよい。これにより、水中で膝の折れ曲がりを防ぎフラットなストリームラインを保持できる。
【００２９】
前記ワンピースタイプの水着は、左右胸部と腹部に非伸縮性ないしは低伸縮性素材が配置され補強されていてもよい。これにより腹部から胸部にかけての折れ曲がりを防ぎフラットなストリームラインを保持できる。腹部の非伸縮性ないしは低伸縮性素材は、一枚でも良いし、いくつか複数枚に分割して配置しても良い。
【００３０】
前記非伸縮性ないしは低伸縮性素材にはスリットを設けてもよい。このようにすると伸びるので、着用性および着用感を良好に保て、呼吸が楽になり、かつ身体の吊り上げ効果も保持できる利点がある。
【００３１】
前記スポーツウエアは、水着、球技又は陸上競技の走種目、跳躍種目及び投擲種目を含む競技用ウエア等に好適である。とくに競泳用水着に好適である。即ち、股関節の伸展動作がパフォーマンスの発揮につながる種目では、前記スポーツウエアによるパフォーマンスの増大が期待される。例えば、陸上競技においては、爆発的なパワーが重要な短距離種目や、跳躍種目、投擲種目に有効である。
【００３２】
短距離走では地面をける局面で、跳躍種目では踏み切り時に、投擲種目では投擲物を投げ出す際に、それぞれ股関節が伸展する。この時、いずれの動作も足部が地面と接しており、大臀筋等の収縮によって股関節を伸展させる方向に大きな力が発揮されるため、前記スポーツウエアによる股関節伸展方向の張力はパフォーマンスを増大させることができる。
【００３３】
また、バスケットボールやバレーボールなど、跳躍動作を断続的に行う球技においても本発明は有効である。これらの種目においても跳躍時には前記と同様の理由で効果が期待できる。
【００３４】
更に着地時にも効果が期待できる。即ち、着地動作では、股関節は一時的に屈曲するが、この時大臀筋等の筋肉は引き伸ばされながら股関節伸展方向に力を発揮しており、この働きが着地の衝撃を緩和する１つの要因となっている。前記スポーツウエアによる股関節伸展方向の張力は、この働きを補助し、着地時にかかる筋肉への負担を軽減することができる。
【００３５】
更に、スピードスケートやスキーなど、股関節を屈曲したクラウチング姿勢で行う競技用のウエアとしても前記スポーツウエアは有効である。このような競技では、常に股関節を屈曲したままの姿勢を保持する必要があるが、この際、大臀筋等の筋肉は股関節伸展方向に筋力を継続的に発揮している。本発明による股関節伸展方向の張力は、このような働きをも補助し、姿勢保持に使用される筋肉への負担を軽減することができる。
【００３６】
特にスピードスケートにおいては、前記短距離走と同様に氷をける局面においても効果が期待できる。
【００３７】
以下図面を用いて説明する。図１Ａは本発明の一実施例における水泳用ハーフスパッツ１０の正面図、図１Ｂは同背面図である。図１Ａ−Ｂにおいて、伸縮性ベース生地(1)により主要部を構成する。そして、非伸縮性ないしは低伸縮性素材を少なくともウェスト背面を覆う領域Ａ(2a,2b)と、両臀部の膨隆部を含む領域Ｂ(3a,3b)と、両大腿部の後面を含む領域Ｃ(4a,4b)に分割して配置している。股関節伸展方向の張力を補強し、尻部から大腿部後面を吊り上げる機能を発揮させ、上半身に対する下半身の屈曲を抑制し、身体凸部を滑らかにする機能を有し、かつ動き易い機能を満足させることができる。
【００３８】
伸縮性ベース生地(1)と領域Ａ〜Ｃの形成は、伸縮性ベース生地(1)の上に非伸縮性ないしは低伸縮性シートを載せて縫製により固定しても良いし、接着剤により固定しても良い。別な手段としては、熱可塑性を有する非伸縮性ないしは低伸縮性シートを熱圧着して固定しても良い。別な手段としては、伸縮性ベース生地(1)の領域Ａ〜Ｃに相当する位置を切り取り、非伸縮性ないしは低伸縮性シートを縫製しても良い。別の手段としては、伸縮性ベース生地(1)の上にエラストマー樹脂又はゴムを含浸させるか貼り付けても良い。さらに別な手段としては、伸縮性ベース生地(1)の領域Ａ〜Ｃに相当する位置に刺繍を施すことによって伸縮性を落としても良い。
【００３９】
図２Ａは本発明の別の実施例における水泳用ハーフスパッツ１１の正面図、図２Ｂは同背面図である。図２Ａ−Ｂにおいて、伸縮性ベース生地(1)により主要部を構成する。そして、非伸縮性ないしは低伸縮性素材を少なくともウェスト背面を覆う領域Ａ(2a,2b)と、両臀部の膨隆部を含む領域Ｂ(3a,3b)と、両大腿部の後面から連続的に大腿内側面を含む領域Ｃ’(5a,5b)と、大頭四頭筋を覆う領域Ｄ(7a,7b)に分割して配置している。これにより脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。
【００４０】
図３Ａは本発明のさらに別の実施例における水泳用ハーフスパッツ１２の正面図、図３Ｂは同背面図である。図１Ａ−Ｂと相違する点は、非伸縮性ないしは低伸縮性素材が大腿部を巻回する領域Ｃ”(6a,6b)となっている点であり、その他は共通する。この例によっても脚部を吊り上げる効果をより強化することができ、また股関節内転筋群を覆うことにより股関節が外転することによる形状抵抗の増大を抑制し、さらに大腿部のふくらみを抑え、水の抵抗を低くすることができる。
【００４１】
図４Ａは本発明のさらに別の実施例における水泳用ハーフスパッツ１３の正面図、図４Ｂは同背面図である。図２Ａ−Ｂと相違する点は、大頭四頭筋を覆う領域Ｄ(7a,7b)がない点である。
【００４２】
次に図５を用いて、人体の下半身の筋肉を説明する。臀部には、大臀筋２０が存在し、その上方に中臀筋２１、側部に腸脛靭帯上部２２が存在している。２３は大内転筋上部である。２４は大臀筋２０の収縮方向である。
【００４３】
図６は、図５に示す人体の臀部に図１の水泳用ハーフスパッツ１０をあてがい、各領域の伸び方向を示す説明図である。図６において、３１は領域Ａ(2a,2b)と領域Ｂ(3a,3b)との間の伸縮性ベース生地(1)に掛かる張力の発生方向、３２は大臀筋の収縮方向、３０は張力方向３１と大臀筋の収縮方向３１との合成力の方向を示す。３３は領域Ｂ(3a,3b)と領域Ｃ(4a,4b)との間の皮膚の伸展方向を示す。領域Ａ(2a,2b)と領域Ｂ(3a,3b)との分割部の形状が逆ハの字状になっているため、生地による張力の発生方向と、筋収縮の方向が近似し、より尻部を吊り上げ、膨隆部を押さえやすいことがわかる。また、領域Ｂ(3a,3b)と領域Ｃ(4a,4b)の分割部がハの字状になっているため、伸縮性ベース生地(1)の伸びる余地が大きいことがわかる。
【００４４】
図７は比較例における水泳用ハーフスパッツの伸び方向を示す説明図である。図７において、４１は領域Ａ(2a,2b)と領域Ｂ(3a,3b)との間の伸縮性ベース生地(1)に掛かる張力の発生方向、４４はその延長線、４２は大臀筋の収縮方向、４０はその延長線を示す。４３は領域Ｂ(3a,3b)と領域Ｃ(4a,4b)との間の皮膚の伸展方向を示す。領域Ａ(2a,2b)と領域Ｂ(3a,3b)との分割部の形状がハの字状になっているため、生地による張力の発生方向と、筋収縮の方向が近似せず、より尻部を吊り上げにくく、膨隆部を押さえにくいことがわかる。また、領域Ｂ(3a,3b)と領域Ｃ(4a,4b)の分割部が逆ハの字状になっているため、伸縮性ベース生地(1)の伸びる余地（矢印４３）が小さい。
【００４５】
股関節伸展の主働筋である大臀筋の筋線維走行方向は、身体の縦方向後面から見て、幅方向の中心から外側に進むにつれておよそ３０度〜７０度の角度を持って下方に向かっている（図５参照）。即ち縦方向後面から見てハの字状になっている。この方向は大臀筋の収縮による張力のおよその発揮方向と同一である。一方、本発明の好ましい例では、領域Ａと領域Ｂとの分割部の形状が、縦方向後面から見て逆ハの字になっている。即ち、大臀筋の収縮方向とおよそ直交する角度を持っている。このため、股関節伸展に伴う生地の伸展による張力は、領域Ｂの上端から領域Ａの下端に向かう方向により起こりやすくなり、大臀筋の張力発揮方向と近似するため、尻部をより吊り上げやすく、尻部の膨隆部をより押さえやすい（図６参照）。逆に領域Ａと領域Ｂの分割部の形状が、身体の縦方向後面から見て、幅方向の中心から外側に進むにつれて下方向に向かう角度を持っている場合、即ちハの字状になっている場合、筋の収縮方向に伸縮性ベース生地が伸びやすいことになり、尻部を吊り上げにくく、尻部の膨隆部も押さえにくい（図７参照）。
【００４６】
さらに、領域Ａ〜Ｃ間及びその他の領域には伸縮性ベース生地を配置することにより、動き易い機能を満足させることができる。すなわち、領域Ａ〜Ｃを連続的に強緊締素材で覆う場合、動作によりこれらの領域が引き伸ばされたときの張力変化は非常に大きなものとなる。一方、領域Ａ〜Ｃに非伸縮性ないしは低伸縮性シートを分割して配置した場合、動作時にこれらの領域が引き伸ばされたときは、領域Ａ〜Ｃはほとんどないしは全く伸びず、伸張に対する張力変化の少ない伸縮性ベース生地が引き伸ばされるのみであるため、動きやすさが確保される。
【００４７】
また、股関節の屈曲時に最も皮膚が伸びる部位は臀溝部である。この臀溝部の皮膚が伸びる方向は、身体の縦方向後面から見て、幅方向の中心から外側に進むにつれておよそ１５度〜８５度の角度を持って下方に向かっている。即ち、縦方向後面から見ると、ハの字状になっている。一方、本発明では、領域Ｂと領域Ｃとの分割部の形状が、縦方向後面から見てハの字状になっている。即ち、臀溝部の皮膚の収縮方向と近似した角度を持っている。このため、臀溝部の皮膚の伸びに対して、伸縮性ベース生地の伸びる余地が大きくなり、より動きやすい（図６参照）。逆に身体の縦方向後面から見て、幅方向の中心から外側に進むにつれて上方に向かう角度を持っている場合、即ち逆ハの字状になっている場合は、伸縮性ベース生地の伸びる余地がより小さくなり、より動きにくい（図７参照）。
【００４８】
図８Ａは本発明の一実施例におけるワンピースタイプの水着の正面図、図８Ｂは同背面図である。図８Ａ−Ｂにおいて、伸縮性ベース生地(1)により主要部を構成する。そして、非伸縮性ないしは低伸縮性素材を少なくともウェスト背面を覆う領域Ａ(2a,2b)と、両臀部の膨隆部を含む領域Ｂ(3a,3b)と、両大腿部の後面から連続的に大腿内側面を含む領域Ｃ’(5a,5b)と、大頭四頭筋を覆う領域Ｄ(7a,7b)に分割して配置している。これにより脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。さらに、左右胸部２８ａ，２８ｂと腹部２９に非伸縮性ないしは低伸縮性素材が配置されて補強されている。左右胸部２８ａ，２８ｂの非伸縮性ないしは低伸縮性素材は、大胸筋や乳房部が突出することを防ぎ、水の抵抗を低くすることができる。また、腹部２９の非伸縮性ないしは低伸縮性素材は、腹部の内圧を高めることで、腰部が曲がりにくく、フラットなストリームラインを保持できる。
【００４９】
図９Ａは本発明の別の実施例におけるワンピースタイプの水着の正面図、図９Ｂは同背面図である。図９Ｂの背面図に示すように、図８Ｂの非伸縮性ないしは低伸縮性素材を少なくともウェスト背面を覆う領域Ａ(2a,2b)と、両臀部の膨隆部を含む領域Ｂ(3a,3b)と、両大腿部の後面から連続的に大腿内側面を含む領域Ｃ’(5a,5b)と、大頭四頭筋を覆う領域Ｄ(7a,7b)に分割して配置していることは共通している。相違点は領域Ａ(2a,2b)の面積が大きいこと、領域Ｂ(3a,3b)と領域Ｃ’(5a,5b)との間隙部の中央部が凹んでいる形状であることである。効果は図８Ａ−Ｂの例と同じく、脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。この水着はファスナー９を開閉して着脱する。図９Ａに示すように、左右胸部２５ａ，２５ｂと腹部２６ａ〜２６ｃ，２７ａ〜２７ｃに非伸縮性ないしは低伸縮性素材が配置されて補強されている。左右胸部２５ａ，２５ｂの非伸縮性ないしは低伸縮性素材は、大胸筋や乳房部が突出することを防ぎ、水の抵抗を低くすることができる。また、腹部２６ａ〜２６ｃ，２７ａ〜２７ｃの非伸縮性ないしは低伸縮性素材は、腹部の内圧を高めることで、腰部が曲がりにくく、フラットなストリームラインを保持できる。さらに脛部８ａ〜８ｂにＶ字又はＵ字形の非伸縮性ないしは低伸縮性素材が配置され補強されていてもよい。これにより、水中で膝の折れ曲がりを防ぎフラットなストリームラインを保持できる。前記領域Ａ(2a,2b)、領域Ｃ’(5a,5b)、領域Ｄ(7a,7b)、左右胸部２５ａ，２５ｂ及び腹部２６ａ〜２６ｃ，２７ａ〜２７ｃの非伸縮性ないしは低伸縮性素材には筋状に見える幅１ｍｍのスリットが形成されている。これにより、伸縮性を発現させ、着用時の着心地を良くし、着脱も容易にできる。
【００５０】
図９Ｂでは、領域Ｂ（３ａ、３ｂ）と領域Ｃ（５ａ、５ｂ）の間の分割部の形状が、身体の縦方向後面から見て、幅方向の内側部分はハの字状になっており、同じく幅方向の外側部分が逆ハの字状になっている。段落００４５に示したとおり、逆ハの字状の分割部は動きにくくなってしまうため、本実施例では、領域Ｃ（５ａ、５ｂ）の部分にスリットを設け、動きやすさを確保した。
【実施例】
【００５１】
以下、本発明の実施例について述べるが、本発明はこれらに限定されるものではない。
（実施例１）【００５２】
図１Ａ−Ｂに示すように、伸縮性ベース生地１の表面に熱圧着により転写マークを貼り非伸縮性もしくは低伸縮性シートを設けてウェスト背面を覆う領域Ａ(2)、臀部の膨隆部を含む領域Ｂ(3,3’)及び大腿部の後面を含む領域Ｃ(4,4’)に分割して配置し、股関節伸展方向の張力を補強した。【００５３】
伸縮性ベース生地は、織物を使用し、組織は平織りで、目付けは１１０ｇ／ｍ２。糸使いはタテ糸；ポリウレタン（Ｐｕ）４４ｄｔｅｘ（デシテックス）にナイロン３３ｄｔｅｘ（デシテックス）、フィラメント数１０本をカバーリングした糸、ヨコ糸；ポリウレタン（Ｐｕ）４４ｄｔｅｘ（デシテックス）にナイロン３３ｄｔｅｘ（デシテックス）、フィラメント数１０本をカバーリングした糸を使用した。打ち込み本数は、経糸１６１本／インチ、緯糸２０４本／インチである。この織物は、染色後、撥水加工をした。撥水加工は、フッ素樹脂系撥水剤（七福化学社製の商品名“ＤＰ−１０”）を１０重量％と、バインダ樹脂としてウレタン系樹脂：日華化学株式会社製“エバファノールＡＰ１２”を１重量％採取し、水１０リットルに分散し、撥水性処理液とした。この撥水性処理液を浸漬により７．２重量％となるように伸縮性生地に固着させ、ハーフスパッツに縫製した。【００５４】
熱圧着による転写シートの非伸縮性もしくは低伸縮性素材部は、ジャパンポリマーク社製  製品名“ポリタフ３”を使用した。転写シートの厚みは１００μｍ、目付けは１２１ｇ／ｍ２。主成分はウレタンであった。【００５５】
（比較例１）
実施例１で使用した伸縮性ベース生地のみで水着を作製した。【００５６】
（実施例２）
図２Ａ−Ｂに示す以外は実施例１と同様にハーフスパッツを作製した。【００５７】
比較例１、実施例１及び実施例２を男子競泳選手５名に着用させ、表１〜３に示した項目についてアンケートをとった。アンケートは５段階評価とし、項目に示した事項が強く感じられる場合は５、かなり感じられる場合は４、やや感じられる場合は３、あまり感じられない場合は２、全く感じない場合は１と評価した。【００５８】
【表１】
2010007986.tif 000003
【００５９】
【表２】
2010007986.tif 000004
【００６０】
【表３】
2010007986.tif 000005
【００６１】
表１〜３に示す結果から明らかなとおり、比較例１ではいずれの被験者においても、泳動作時の脚が動かしやすいという項目以外は点数が低く、平均点も２〜２．７５点であった。一方、実施例１及び実施例２では、いずれの被験者においても、いずれの項目でも３点以上が得られ、平均点も３．７５点以上であった。また、実施例１と実施例２の比較では大きな差はなかったが、実施例１では平均点が３．７５〜４．５点、実施例２では４〜４．７５点と、実施例２の方がやや高い結果が得られた。【００６２】
以上の結果から、実施例１及び実施例２における領域Ａ、領域Ｂ及び領域Ｃないしは領域Ｃ’が臀部や大腿部の膨らみを押さえ、上半身に対する下半身の屈曲を抑制していることが確認できた。また、実施例１及び実施例２は形状抵抗が小さく、高いパフォーマンスを発揮できる水着であることが確認できた。更に、全ての被験者が、実施例１及び実施例２を着用した際に大腿後面が吊り上がる、あるいは下半身が浮く感覚を感じていた。また、着用感も良く、動きやすいという評価も得られた。【００６３】
（比較例２）
実施例１で使用した伸縮性ベース生地のみでワンピースタイプの水着を作製した。実施例１〜２と同様に女子競泳選手５名に着用させ、表４に示した項目についてアンケートをとった。アンケートは５段階評価とし、項目に示した事項が強く感じられる場合は５、かなり感じられる場合は４、やや感じられる場合は３、あまり感じられない場合は２、全く感じない場合は１と評価した。【００６４】
【表４】
2010007986.tif 000006
【００６５】
（実施例３）
図９Ａ−Ｂに示す以外は実施例１と同様にワンピースタイプの水着を作製した。実施例１〜２と同様に女子競泳選手５名に着用させ、表５に示した項目についてアンケートをとった。アンケートは５段階評価とし、項目に示した事項が強く感じられる場合は５、かなり感じられる場合は４、やや感じられる場合は３、あまり感じられない場合は２、全く感じない場合は１と評価した。【００６６】
【表５】
2010007986.tif 000007
【００６７】
表４、５に示す結果から明らかなとおり、比較例２ではいずれの被験者においても、泳動作時の脚が動かしやすいという項目以外は点数が低く、平均点も２〜２．７５点であった。一方、実施例３では、いずれの被験者においても、いずれの項目でも３点以上が得られ、平均点も４．２５点以上であった。【００６８】
以上の結果から実施例１〜２よりもさらに高い評価を得た上、記録も良好であった。また、実施例３の脚の動かしやすさについても、比較例２とほぼ同等の回答が得られたことから、領域Ｃに設けたスリットによって脚が動かしやすくなっていることが確認できた。
【産業上の利用可能性】
【００６９】
本発明のスポーツウエアは、水着以外にもバスケットボールやバレーボールなどの球技、陸上競技の走種目、跳躍種目及び投擲種目を含む競技用ウエア、更に、スピードスケートやスキーなど、股関節を屈曲したクラウチング姿勢で行う競技用のウエアとしても有用である。
【符号の説明】
【００７０】
１  伸縮性ベース生地
２ａ，２ｂ  領域Ａ
３ａ，３ｂ  領域Ｂ
４ａ，４ｂ  領域Ｃ
５ａ，５ｂ  領域Ｃ’
６ａ，６ｂ  領域Ｃ”
７ａ，７ｂ  領域Ｄ
８ａ，８ｂ  脛部
９  ファスナー
１０，１１，１２，１３，１４  水泳用ハーフスパッツ
１５，１６  ワンピースタイプの水着
２０  大臀筋
２１  中臀筋
２２  腸脛靭帯上部
２３  大内転筋上部
２４  大臀筋の収縮方向
２５ａ，２５ｂ，２８ａ，２８ｂ  胸部
２６ａ〜２６ｃ，２７ａ〜２７ｃ，２９  腹部
３０，３１，４０，４１，４４  張力発生方向
３２，４２  大臀筋の収縮方向
３３，４３  皮膚の伸展方向
【図１】
2010007986.tif 000008
【図２】
2010007986.tif 000009
【図３】
2010007986.tif 000010
【図４】
2010007986.tif 000011
【図５】
2010007986.tif 000012
【図６】
2010007986.tif 000013
【図７】
2010007986.tif 000014
【図８Ａ】
2010007986.tif 000015
【図８Ｂ】
2010007986.tif 000016
【図９Ａ】
2010007986.tif 000017
【図９Ｂ】
2010007986.tif 000018
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
伸縮性ベース生地と、部分的に非伸縮性ないしは低伸縮性素材を含み、着用者の表面に密着した状態で着用されるスポーツウエアであって、
前記非伸縮性ないしは低伸縮性素材は、少なくともウェスト背面を覆う領域Ａ、臀部の膨隆部を含む領域Ｂ及び大腿部の後面を含む領域Ｃに分割して配置し、
股関節伸展方向の張力を補強することを特徴とするスポーツウエア。
【請求項２】
前記非伸縮性ないしは低伸縮性領域Ｃが、連続的に大腿内側面を含む領域Ｃ’である請求項１に記載のスポーツウエア。
【請求項３】
前記非伸縮性ないしは低伸縮性領域Ｃが、大腿部を巻回する領域Ｃ”である請求項１に記載のスポーツウエア。
【請求項４】
前記非伸縮性ないしは低伸縮性領域として、さらに大腿四頭筋を覆う領域Ｄに分離して配置した請求項１〜３のいずれかに記載のスポーツウエア。
【請求項５】
前記領域Ａと前記領域Ｂとの分割部の形状が、縦方向後面から見て逆ハの字状である請求項１〜４のいずれかに記載のスポーツウエア。
【請求項６】
前記領域Ｂと、前記領域Ｃ、領域Ｃ’又はＣ”との分割部の形状が、縦方向後面から見てハの字状又は中央部が凹んでいる形状である請求項１〜４のいずれかに記載のスポーツウエア。
【請求項７】
前記非伸縮性ないしは低伸縮性素材が、織物又は編物で形成されている請求項１〜６のいずれかに記載のスポーツウエア。
【請求項８】
前記非伸縮性ないしは低伸縮性素材が、織物又は編物にエラストマー樹脂又はゴムを含浸させるか若しくは貼り付けたシートで形成されている請求項１〜７のいずれかに記載のスポーツウエア。
【請求項９】
前記非伸縮性ないしは低伸縮性素材が、前記伸縮性ベース生地に縫い付けられるか又は刺繍されて形成されている請求項１〜８のいずれかに記載のスポーツウエア。
【請求項１０】
前記非伸縮性ないしは低伸縮性素材は、ＪＩＳ１０９６で測定した４．９Ｎ（５００ｇｆ）荷重時の伸長率が身体の長軸方向に０％以上１０％未満である請求項１〜９のいずれかに記載のスポーツウエア。
【請求項１１】
前記伸縮性ベース生地が弾性糸を含む糸で構成されたワンウエイ又はツーウエイの織物又は編物である請求項１に記載のスポーツウエア。
【請求項１２】
前記伸縮性ベース生地は、ＪＩＳ１０９６で測定した４．９Ｎ（５００ｇｆ）荷重時の伸長率が身体の長軸方向に１０％以上の生地である請求項１又は１１に記載のスポーツウエア。
【請求項１３】
前記スポーツウエアは、さらに脛部にＶ字又はＵ字形の非伸縮性ないしは低伸縮性素材が配置され補強されている請求項１〜１２のいずれかに記載のスポーツウエア。
【請求項１４】
前記スポーツウエアは、スパッツタイプ又はワンピースタイプの水着である請求項１〜１３のいずれかに記載のスポーツウエア。
【請求項１５】
前記ワンピースタイプの水着には、左右胸部と腹部に非伸縮性ないしは低伸縮性素材が配置されて補強されている請求項１４に記載のスポーツウエア。
【請求項１６】
前記非伸縮性ないしは低伸縮性素材にはスリットを設けている請求項１〜１５のいずれかに記載のスポーツウエア。
【手続補正２】
【補正対象書類名】明細書
【補正対象項目名】全文
【補正方法】変更
【補正の内容】
【発明の詳細な説明】
【技術分野】
【０００１】
本発明は、着用者の表面にほぼ密着した状態で着用されるスポーツウエアに関する。
【背景技術】
【０００２】
競泳においては、水の抵抗を低くした水着が求められる。水の抵抗は身体表面を流れる水と身体あるいは水着の流体摩擦抵抗と、身体形状に依存する形状抵抗とに分けられる。従来の水着は、素材の摩擦抵抗を低減することに着目しており（例えば特許文献１〜３）、流体抵抗の中で比率の高い形状抵抗を下げるための工夫はされてこなかった。
【０００３】
形状抵抗を下げるには、臀部や女性の胸部のふくらみなど、身体の凸部をできるだけ無くすことが求められる。また、競泳動作中に形状抵抗を高める要因として、とくに疲労時に見られる上半身に対する下半身の屈曲も挙げられる。これらはいずれも身体の進行方向から見た投影面積を増大させ、形状抵抗を高める原因となる。以上から、形状抵抗を低減させるためには、身体のふくらみを抑えること及び下半身の屈曲を抑制することが求められる。下半身の屈曲を抑制するには、主に股関節の伸展方向に張力がかかるように設計する必要がある。これを実現するために、従来は強緊締素材と弱緊締素材で覆うことにより、股関節の伸展方向に張力がかかるようにしている。また陸上競技用スパッツでは、臀部を面状の強緊締素材で覆うことにより、地面をける動作、すなわち股関節の伸展動作をサポートしている（特許文献４）。しかし、これらの従来例においても、上半身に対する下半身の屈曲を抑制し、身体凸部を滑らかにする機能と動き易い機能を満足するには問題があった。
【先行技術文献】
【特許文献】
【０００４】
【特許文献１】特許第２７１５０８８号明細書
【特許文献２】特開２００４−２９２９６２号公報
【特許文献３】ＷＯ２００７／１４２２３２号明細書
【特許文献４】特開２００５−１４６４５０号公報
【発明の概要】
【発明が解決しようとする課題】
【０００５】
本発明は、前記従来の問題を解決するため、上半身に対する下半身の屈曲を抑制し、身体凸部を滑らかにする機能を有し、かつ動き易い機能を満足するスポーツウエアを提供する。
【課題を解決するための手段】
【０００６】
本発明のスポーツウエアは、伸縮性ベース生地と、部分的に非伸縮性ないしは低伸縮性素材を含み、着用者の表面に密着した状態で着用されるスポーツウエアであって、前記非伸縮性ないしは低伸縮性素材は、少なくともウェスト背面を覆う領域Ａ、臀部の膨隆部を含む領域Ｂ及び大腿部の後面を含む領域Ｃに分割して配置し、股関節伸展方向の張力を補強することを特徴とする。
【発明の効果】
【０００７】
本発明のスポーツウエアは、伸縮性ベース生地と部分的に非伸縮性ないしは低伸縮性素材を含み、非伸縮性ないしは低伸縮性素材は少なくともウェスト背面を覆う領域Ａ、臀部の膨隆部を含む領域Ｂ及び大腿部の後面を含む領域Ｃに分割して配置し、股関節伸展方向の張力を補強することにより、尻部から大腿部後面を吊り上げる機能を発揮させ、上半身に対する下半身の屈曲を抑制し、身体凸部を滑らかにする機能を有し、かつ動き易い機能を満足させることができる。
【０００８】
すなわち、領域Ａ〜Ｃに非伸縮性ないしは低伸縮性素材を分割して配置することにより、股関節伸展方向の張力を補強し、尻部から大腿部後面を吊り上げる機能を発揮させ、上半身に対する下半身の屈曲を抑制できる。また、非伸縮性ないしは低伸縮性素材は動作によって張力がかかっても、それ自体はほとんどあるいは全く伸びない。このため、非伸縮性ないしは低伸縮性素材からなる領域にかかった張力は皮膚の方向への力となり、身体凸部を圧迫する。領域Ａ〜Ｃは筋肉の盛り上がりがある部分であり、この部分に非伸縮性ないしは低伸縮性素材を配置することにより、身体凸部を滑らかにする機能を発揮する。特に領域Ｂ及びＣは、それぞれ大臀筋及びハムストリングス等、股関節の伸展に寄与する筋群が存在する部位であり、これらの領域を圧迫することで筋内圧を高め、効果的に股関節伸展方向に筋力を発揮しやすい状態にする。その結果、尻部から大腿部後面を吊り上げる機能を発揮させ、上半身に対する下半身の屈曲を抑制し、身体凸部を滑らかにする機能を有し、かつ動き易い機能を満足させることができる。
【図面の簡単な説明】
【０００９】
【図１】図１Ａは本発明の一実施例における水泳用ハーフスパッツの正面図、図１Ｂは同背面図である。
【図２】図２Ａは本発明の別の実施例における水泳用ハーフスパッツの正面図、図２Ｂは同背面図である。
【図３】図３Ａは本発明のさらに別の実施例における水泳用ハーフスパッツの正面図、図３Ｂは同背面図である。
【図４】図４Ａは本発明のさらに別の実施例における水泳用ハーフスパッツの正面図、図４Ｂは同背面図である。
【図５】図５は人体の大臀筋の筋線維走行方向を示す説明図である。
【図６】図６は本発明の一実施例における水泳用ハーフスパッツの伸び方向を示す説明図である。
【図７】図７は比較例における水泳用ハーフスパッツの伸び方向を示す説明図である。
【図８Ａ】図８Ａは本発明の一実施例におけるワンピースタイプの水着の正面図である。
【図８Ｂ】図８Ｂは同背面図である。
【図９Ａ】図９Ａは本発明の別の実施例におけるワンピースタイプの水着の正面図である。
【図９Ｂ】図９Ｂは同背面図である。
【発明を実施するための形態】
【００１０】
本発明のスポーツウエアは、伸縮性ベース生地と部分的に非伸縮性ないしは低伸縮性素材を含み、非伸縮性ないしは低伸縮性素材は、少なくともウェスト背面を覆う領域Ａ、臀部の膨隆部を含む領域Ｂ及び大腿部の後面を含む領域Ｃに分割して配置し、前記Ａ〜Ｃの各領域間及びその他の領域には、前記伸縮性ベース生地を配置し、股関節伸展方向の張力を補強する。
【００１１】
前記非伸縮性ないしは低伸縮性素材は、非弾性糸を使用した織物、例えばポリエステル（ポリエチレンテレフタレート、ポリトリメチレンテレフタレート、ポリブチレンテレフタレートなど）繊維糸、ポリアミド繊維糸、アセテート繊維糸、コットン繊維糸、レーヨン繊維糸、エチレンビニルアルコール繊維糸などを使用した織物がある。このうち、熱可塑性であり、熱セット性が良く、疎水性であるポリエチレンテレフタレート（ＰＥＴ）繊維糸が好ましい。織物としては、平織、斜文織、朱子織、変化平織、変化斜文織、変化朱子織、変わり織、紋織、片重ね織、二重組織、多重組織、経パイル織、緯パイル織、絡み織等がある。このうち、スポーツ用途としては平織が風合いや強度等に優れる。通常、織物は経糸と緯糸で構成されており、ポリエステル繊維糸のようにリジッドな糸を使用した場合は、経方向にも緯方向にもほとんど伸びは生じない。
【００１２】
前記非伸縮性ないしは低伸縮性素材の別の例は、非弾性糸を使用した編物がある。編物としては、丸編、緯編、経編、パイル編等を含み、平編、天竺編、リブ編、スムース編（両面編）、ゴム編、パール編、デンビー組織、コード組織、アトラス組織、鎖組織、挿入組織などがある。編物は基本的にはループで構成されるので、ポリエステル繊維糸のようにリジッドな糸を使用しても、応力がかかった場合、ループが変形して伸びが生ずる。しかし寸法変化は僅かであるから、このような編物は非伸縮性ないしは低伸縮性素材に含まれる。
【００１３】
前記非伸縮性ないしは低伸縮性素材のさらに別の例は、織物又は編物に、エラストマー樹脂又はゴムを含浸させるか貼り付けたシートである。伸縮性ベース生地にエラストマー樹脂又はゴムを含浸させるか又は貼り付けても良い。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等がある。これらは「プラスチック・データーブック」、１９９９年１２月１日、工業調査会発行、８５４〜９１０頁に記載されている。ゴムとしては、シリコーンゴム、フッ素ゴム、ウレタンゴム、合成ゴム、天然ゴム等がある。
【００１４】
前記非伸縮性ないしは低伸縮性素材からなる領域の周囲に段階的又は傾斜的に非伸縮性ないしは低伸縮性素材を配置してもよい。また、前記段階的又は傾斜的に配置した非伸縮性ないしは低伸縮性素材の形状が、円状、楕円状、丸みを帯びた多角形又は線状であることが好ましい。
【００１５】
前記非伸縮性ないしは低伸縮性素材は、前記伸縮性ベース生地に縫い付けてもよい。これは、切り返し、すなわち生地に穴を開けて、別の生地を縫い付けるという手法でも良いし、前記伸縮性ベース生地の上に別の生地を縫い付けるという手法でも良い。あるいは、前記伸縮性ベース生地にエラストマー樹脂又はゴムを含浸させるか貼り付けたシートをさらに縫い付けてもよい。
【００１６】
前記非伸縮性ないしは低伸縮性素材のさらに別の例は、前記伸縮性ベース生地を非弾性糸によって刺繍したものである。非弾性糸は、例えばポリエステル（ポリエチレンテレフタレート、ポリトリメチレンテレフタレート、ポリブチレンテレフタレートなど）繊維糸、ポリアミド繊維糸、アセテート繊維糸、コットン繊維糸、レーヨン繊維糸、エチレンビニルアルコール繊維糸などがある。このうち、熱可塑性であり、熱セット性が良く、疎水性であるポリエチレンテレフタレート（ＰＥＴ）繊維糸が好ましい。
【００１７】
前記非伸縮性ないしは低伸縮性素材のＪＩＳ１０９６で測定した４．９Ｎ（５００ｇｆ）荷重時の伸長率が身体の長軸方向に０％以上１０％未満であることが好ましい。これにより、人体の尻から大腿部後面の補強効果をさらに増大できる。
【００１８】
前記非伸縮性ないしは低伸縮性素材の目付けは、１００〜４００ｇ／ｍ2の範囲が好ましい。この範囲であれば透けなどの問題を起こさず、審美性に適しており、また重量感もなく着用性が高い。
【００１９】
また、本発明においては、前記非伸縮性ないしは低伸縮性素材を、大腿後部だけでなく、さらに大腿内側部を覆う連続した領域Ｃ’に配置することも好ましい。これにより、尻部から大腿後面を吊り上げる機能をより強化することができ、さらに股関節内転筋群を覆うことによって、股関節が外転することによる形状抵抗の増大を抑制することができる。
【００２０】
さらに、本発明においては、前記非伸縮性ないしは低伸縮性素材を、大腿後部だけでなく、さらに大腿部を巻回するように覆う連続した領域Ｃ”に配置することも好ましい。これにより尻部から大腿後面を吊り上げる機能をより強化することができ、さらに大腿部のふくらみも抑え、水の抵抗を低くすることができる。
【００２１】
本発明においては、前記非伸縮性ないしは低伸縮性素材を、さらに大頭四頭筋を覆う領域Ｄに分離して配置することも好ましい。これにより大腿部のふくらみを抑え、水の抵抗を低くすることができる。
【００２２】
前記領域Ａと前記領域Ｂとの分割部の形状は、縦方向後面から見て逆ハの字状であることが好ましい。これにより、尻部から大腿後面を吊り上げる機能をより強化することができ、さらに人体の動きを阻害しない機能が得られる。
【００２３】
前記領域Ｂと前記領域Ｃとの分割部の形状が、縦方向後面から見てハの字状又は中央部が凹んでいる形状であることが好ましい。前記同様に尻部から大腿後面を吊り上げる機能をより強化することができる。
【００２４】
本発明で使用する伸縮性ベース生地は、弾性糸を含むワンウエイ又はツーウエイの織物又は編物が好ましい。弾性糸は、ポリウレタン系弾性糸及びポリエステル系弾性糸から選ばれる少なくとも一つであることが好ましい。ストレッチ性が高く、スポーツ衣料に適しているからである。前記弾性糸は、ベアヤーン（裸糸）として、非弾性糸（リジッド糸）と引きそろえて使用しても良いし、又は表面にポリエステル繊維もしくはナイロン繊維が被覆されたカバードヤーンとして使用しても良い。
【００２５】
前記伸縮性ベース生地は、ＪＩＳ１０９６で測定した４．９Ｎ（５００ｇｆ）荷重時の伸長率が身体の長軸方向に１０％以上の生地（織物又は編物）が好ましい。この範囲であれば身体の動きに追従し着用性が高い。とくに前記領域Ａ〜Ｄを分割している部分に配置する伸縮性素材は伸びやすい素材が好ましい。領域Ａ〜Ｄの素材は伸びにくいため、バランスを取るためである。伸縮性ベース生地の目付けは１００〜４００ｇ／ｍ2の範囲が好ましい。この範囲であれば透けなどの問題を起こさず、審美性に適しており、また重量感もなく着用性が高い。
【００２６】
本発明において、「ほぼ密着」の状態を作るには、人体の裸のサイズに対して、周囲方向は５０％以上１１０％以下、さらに好ましくは７０％以上９５％以下、丈は７５％以上１００％以下、さらに好ましくは８５％以上１００％以下としてスポーツウエアを形成する。もちろん人体のサイズは個人差があるので、前記の比率は目安である。より具体的には、ＪＡＳＰＯ規格に従ってサイズを決める。
【００２７】
前記スポーツウエアは、スポーツ用スパッツに好適である。具体的にはハーフスパッツ、ロングスパッツ等に好適である。前記スポーツウエアは、上半身を覆うハーフスーツ、ロングスーツあるいはフルスーツ等のワンピースタイプであってもよい。
【００２８】
本発明においては、さらに脛部にＶ字又はＵ字形の非伸縮性ないしは低伸縮性素材が配置され補強されていてもよい。これにより、水中で膝の折れ曲がりを防ぎフラットなストリームラインを保持できる。
【００２９】
前記ワンピースタイプの水着は、左右胸部と腹部に非伸縮性ないしは低伸縮性素材が配置され補強されていてもよい。これにより腹部から胸部にかけての折れ曲がりを防ぎフラットなストリームラインを保持できる。腹部の非伸縮性ないしは低伸縮性素材は、一枚でも良いし、いくつか複数枚に分割して配置しても良い。
【００３０】
前記非伸縮性ないしは低伸縮性素材にはスリットを設けてもよい。このようにすると伸びるので、着用性および着用感を良好に保て、呼吸が楽になり、かつ身体の吊り上げ効果も保持できる利点がある。
【００３１】
前記スポーツウエアは、水着、球技又は陸上競技の走種目、跳躍種目及び投擲種目を含む競技用ウエア等に好適である。とくに競泳用水着に好適である。即ち、股関節の伸展動作がパフォーマンスの発揮につながる種目では、前記スポーツウエアによるパフォーマンスの増大が期待される。例えば、陸上競技においては、爆発的なパワーが重要な短距離種目や、跳躍種目、投擲種目に有効である。
【００３２】
短距離走では地面をける局面で、跳躍種目では踏み切り時に、投擲種目では投擲物を投げ出す際に、それぞれ股関節が伸展する。この時、いずれの動作も足部が地面と接しており、大臀筋等の収縮によって股関節を伸展させる方向に大きな力が発揮されるため、前記スポーツウエアによる股関節伸展方向の張力はパフォーマンスを増大させることができる。
【００３３】
また、バスケットボールやバレーボールなど、跳躍動作を断続的に行う球技においても本発明は有効である。これらの種目においても跳躍時には前記と同様の理由で効果が期待できる。
【００３４】
更に着地時にも効果が期待できる。即ち、着地動作では、股関節は一時的に屈曲するが、この時大臀筋等の筋肉は引き伸ばされながら股関節伸展方向に力を発揮しており、この働きが着地の衝撃を緩和する１つの要因となっている。前記スポーツウエアによる股関節伸展方向の張力は、この働きを補助し、着地時にかかる筋肉への負担を軽減することができる。
【００３５】
更に、スピードスケートやスキーなど、股関節を屈曲したクラウチング姿勢で行う競技用のウエアとしても前記スポーツウエアは有効である。このような競技では、常に股関節を屈曲したままの姿勢を保持する必要があるが、この際、大臀筋等の筋肉は股関節伸展方向に筋力を継続的に発揮している。本発明による股関節伸展方向の張力は、このような働きをも補助し、姿勢保持に使用される筋肉への負担を軽減することができる。
【００３６】
特にスピードスケートにおいては、前記短距離走と同様に氷をける局面においても効果が期待できる。
【００３７】
以下図面を用いて説明する。図１Ａは本発明の一実施例における水泳用ハーフスパッツ１０の正面図、図１Ｂは同背面図である。図１Ａ−Ｂにおいて、伸縮性ベース生地（１）により主要部を構成する。そして、非伸縮性ないしは低伸縮性素材を少なくともウェスト背面を覆う領域Ａ（２ａ，２ｂ）と、両臀部の膨隆部を含む領域Ｂ（３ａ，３ｂ）と、両大腿部の後面を含む領域Ｃ（４ａ，４ｂ）に分割して配置している。股関節伸展方向の張力を補強し、尻部から大腿部後面を吊り上げる機能を発揮させ、上半身に対する下半身の屈曲を抑制し、身体凸部を滑らかにする機能を有し、かつ動き易い機能を満足させることができる。
【００３８】
伸縮性ベース生地（１）と領域Ａ〜Ｃの形成は、伸縮性ベース生地（１）の上に非伸縮性ないしは低伸縮性シートを載せて縫製により固定しても良いし、接着剤により固定しても良い。別な手段としては、熱可塑性を有する非伸縮性ないしは低伸縮性シートを熱圧着して固定しても良い。別な手段としては、伸縮性ベース生地（１）の領域Ａ〜Ｃに相当する位置を切り取り、非伸縮性ないしは低伸縮性シートを縫製しても良い。別の手段としては、伸縮性ベース生地（１）の上にエラストマー樹脂又はゴムを含浸させるか貼り付けても良い。さらに別な手段としては、伸縮性ベース生地（１）の領域Ａ〜Ｃに相当する位置に刺繍を施すことによって伸縮性を落としても良い。
【００３９】
図２Ａは本発明の別の実施例における水泳用ハーフスパッツ１１の正面図、図２Ｂは同背面図である。図２Ａ−Ｂにおいて、伸縮性ベース生地（１）により主要部を構成する。そして、非伸縮性ないしは低伸縮性素材を少なくともウェスト背面を覆う領域Ａ（２ａ，２ｂ）と、両臀部の膨隆部を含む領域Ｂ（３ａ，３ｂ）と、両大腿部の後面から連続的に大腿内側面を含む領域Ｃ’（５ａ，５ｂ）と、大頭四頭筋を覆う領域Ｄ（７ａ，７ｂ）に分割して配置している。これにより脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。
【００４０】
図３Ａは本発明のさらに別の実施例における水泳用ハーフスパッツ１２の正面図、図３Ｂは同背面図である。図１Ａ−Ｂと相違する点は、非伸縮性ないしは低伸縮性素材が大腿部を巻回する領域Ｃ”（６ａ，６ｂ）となっている点であり、その他は共通する。この例によっても脚部を吊り上げる効果をより強化することができ、また股関節内転筋群を覆うことにより股関節が外転することによる形状抵抗の増大を抑制し、さらに大腿部のふくらみを抑え、水の抵抗を低くすることができる。
【００４１】
図４Ａは本発明のさらに別の実施例における水泳用ハーフスパッツ１３の正面図、図４Ｂは同背面図である。図２Ａ−Ｂと相違する点は、大頭四頭筋を覆う領域Ｄ（７ａ，７ｂ）がない点である。
【００４２】
次に図５を用いて、人体の下半身の筋肉を説明する。臀部には、大臀筋２０が存在し、その上方に中臀筋２１、側部に腸脛靭帯上部２２が存在している。２３は大内転筋上部である。２４は大臀筋２０の収縮方向である。
【００４３】
図６は、図５に示す人体の臀部に図１の水泳用ハーフスパッツ１０をあてがい、各領域の伸び方向を示す説明図である。図６において、３１は領域Ａ（２ａ，２ｂ）と領域Ｂ（３ａ，３ｂ）との間の伸縮性ベース生地（１）に掛かる張力の発生方向、３２は大臀筋の収縮方向、３０は張力方向３１と大臀筋の収縮方向３２との合成力の方向を示す。３３は領域Ｂ（３ａ，３ｂ）と領域Ｃ（４ａ，４ｂ）との間の皮膚の伸展方向を示す。領域Ａ（２ａ，２ｂ）と領域Ｂ（３ａ，３ｂ）との分割部の形状が逆ハの字状になっているため、生地による張力の発生方向と、筋収縮の方向が近似し、より尻部を吊り上げ、膨隆部を押さえやすいことがわかる。また、領域Ｂ（３ａ，３ｂ）と領域Ｃ（４ａ，４ｂ）の分割部がハの字状になっているため、伸縮性ベース生地（１）の伸びる余地が大きいことがわかる。
【００４４】
図７は比較例における水泳用ハーフスパッツの伸び方向を示す説明図である。図７において、４１は領域Ａ（２ａ，２ｂ）と領域Ｂ（３ａ，３ｂ）との間の伸縮性ベース生地（１）に掛かる張力の発生方向、４４はその延長線、４２は大臀筋の収縮方向、４０はその延長線を示す。４３は領域Ｂ（３ａ，３ｂ）と領域Ｃ（４ａ，４ｂ）との間の皮膚の伸展方向を示す。領域Ａ（２ａ，２ｂ）と領域Ｂ（３ａ，３ｂ）との分割部の形状がハの字状になっているため、生地による張力の発生方向と、筋収縮の方向が近似せず、より尻部を吊り上げにくく、膨隆部を押さえにくいことがわかる。また、領域Ｂ（３ａ，３ｂ）と領域Ｃ（４ａ，４ｂ）の分割部が逆ハの字状になっているため、伸縮性ベース生地（１）の伸びる余地（矢印４３）が小さい。
【００４５】
股関節伸展の主働筋である大臀筋の筋線維走行方向は、身体の縦方向後面から見て、幅方向の中心から外側に進むにつれておよそ３０度〜７０度の角度を持って下方に向かっている（図５参照）。即ち縦方向後面から見てハの字状になっている。この方向は大臀筋の収縮による張力のおよその発揮方向と同一である。一方、本発明の好ましい例では、領域Ａと領域Ｂとの分割部の形状が、縦方向後面から見て逆ハの字になっている。即ち、大臀筋の収縮方向とおよそ直交する角度を持っている。このため、股関節伸展に伴う生地の伸展による張力は、領域Ｂの上端から領域Ａの下端に向かう方向により起こりやすくなり、大臀筋の収縮方向と近似するため、尻部をより吊り上げやすく、尻部の膨隆部をより押さえやすい（図６参照）。逆に領域Ａと領域Ｂの分割部の形状が、身体の縦方向後面から見て、幅方向の中心から外側に進むにつれて下方向に向かう角度を持っている場合、即ちハの字状になっている場合、筋の収縮方向に伸縮性ベース生地が伸びやすいことになり、尻部を吊り上げにくく、尻部の膨隆部も押さえにくい（図７参照）。
【００４６】
さらに、領域Ａ〜Ｃ間及びその他の領域には伸縮性ベース生地を配置することにより、動き易い機能を満足させることができる。すなわち、領域Ａ〜Ｃを連続的に強緊締素材で覆う場合、動作によりこれらの領域が引き伸ばされたときの張力変化は非常に大きなものとなる。一方、領域Ａ〜Ｃに非伸縮性ないしは低伸縮性シートを分割して配置した場合、動作時にこれらの領域が引き伸ばされたときは、領域Ａ〜Ｃはほとんどないしは全く伸びず、伸張に対する張力変化の少ない伸縮性ベース生地が引き伸ばされるのみであるため、動きやすさが確保される。
【００４７】
また、股関節の屈曲時に最も皮膚が伸びる部位は臀溝部である。この臀溝部の皮膚が伸びる方向は、身体の縦方向後面から見て、幅方向の中心から外側に進むにつれておよそ１５度〜８５度の角度を持って下方に向かっている。即ち、縦方向後面から見ると、ハの字状になっている。一方、本発明では、領域Ｂと領域Ｃとの分割部の形状が、縦方向後面から見てハの字状になっている。即ち、臀溝部の皮膚の収縮方向と近似した角度を持っている。このため、臀溝部の皮膚の伸びに対して、伸縮性ベース生地の伸びる余地が大きくなり、より動きやすい（図６参照）。逆に身体の縦方向後面から見て、幅方向の中心から外側に進むにつれて上方に向かう角度を持っている場合、即ち逆ハの字状になっている場合は、伸縮性ベース生地の伸びる余地がより小さくなり、より動きにくい（図７参照）。
【００４８】
図８Ａは本発明の一実施例におけるワンピースタイプの水着の正面図、図８Ｂは同背面図である。図８Ａ−Ｂにおいて、伸縮性ベース生地（１）により主要部を構成する。そして、非伸縮性ないしは低伸縮性素材を少なくともウェスト背面を覆う領域Ａ（２ａ，２ｂ）と、両臀部の膨隆部を含む領域Ｂ（３ａ，３ｂ）と、両大腿部の後面から連続的に大腿内側面を含む領域Ｃ’（５ａ，５ｂ）と、大頭四頭筋を覆う領域Ｄ（７ａ，７ｂ）に分割して配置している。これにより脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。さらに、左右胸部２８ａ，２８ｂと腹部２９に非伸縮性ないしは低伸縮性素材が配置されて補強されている。左右胸部２８ａ，２８ｂの非伸縮性ないしは低伸縮性素材は、大胸筋や乳房部が突出することを防ぎ、水の抵抗を低くすることができる。また、腹部２９の非伸縮性ないしは低伸縮性素材は、腹部の内圧を高めることで、腰部が曲がりにくく、フラットなストリームラインを保持できる。
【００４９】
図９Ａは本発明の別の実施例におけるワンピースタイプの水着の正面図、図９Ｂは同背面図である。図９Ｂの背面図に示すように、図８Ｂの非伸縮性ないしは低伸縮性素材を少なくともウェスト背面を覆う領域Ａ（２ａ，２ｂ）と、両臀部の膨隆部を含む領域Ｂ（３ａ，３ｂ）と、両大腿部の後面から連続的に大腿内側面を含む領域Ｃ’（５ａ，５ｂ）と、大頭四頭筋を覆う領域Ｄ（７ａ，７ｂ）に分割して配置していることは共通している。相違点は領域Ａ（２ａ，２ｂ）の面積が大きいこと、領域Ｂ（３ａ，３ｂ）と領域Ｃ’（５ａ，５ｂ）との間隙部の中央部が凹んでいる形状であることである。効果は図８Ａ−Ｂの例と同じく、脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。この水着はファスナー９を開閉して着脱する。図９Ａに示すように、左右胸部２５ａ，２５ｂと腹部２６ａ〜２６ｃ，２７ａ〜２７ｃに非伸縮性ないしは低伸縮性素材が配置されて補強されている。左右胸部２５ａ，２５ｂの非伸縮性ないしは低伸縮性素材は、大胸筋や乳房部が突出することを防ぎ、水の抵抗を低くすることができる。また、腹部２６ａ〜２６ｃ，２７ａ〜２７ｃの非伸縮性ないしは低伸縮性素材は、腹部の内圧を高めることで、腰部が曲がりにくく、フラットなストリームラインを保持できる。さらに脛部８ａ〜８ｂにＶ字又はＵ字形の非伸縮性ないしは低伸縮性素材が配置され補強されていてもよい。これにより、水中で膝の折れ曲がりを防ぎフラットなストリームラインを保持できる。前記領域Ａ（２ａ，２ｂ）、領域Ｃ’（５ａ，５ｂ）、領域Ｄ（７ａ，７ｂ）、左右胸部２５ａ，２５ｂ及び腹部２６ａ〜２６ｃ，２７ａ〜２７ｃの非伸縮性ないしは低伸縮性素材には筋状に見える幅１ｍｍのスリットが形成されている。これにより、伸縮性を発現させ、着用時の着心地を良くし、着脱も容易にできる。
【００５０】
図９Ｂでは、領域Ｂ（３ａ、３ｂ）と領域Ｃ（５ａ、５ｂ）の間の分割部の形状が、身体の縦方向後面から見て、幅方向の内側部分はハの字状になっており、同じく幅方向の外側部分が逆ハの字状になっている。段落００４５に示したとおり、逆ハの字状の分割部は動きにくくなってしまうため、本実施例では、領域Ｃ（５ａ、５ｂ）の部分にスリットを設け、動きやすさを確保した。
【実施例】
【００５１】
以下、本発明の実施例について述べるが、本発明はこれらに限定されるものではない。
（実施例１）
【００５２】
図１Ａ−Ｂに示すように、伸縮性ベース生地１の表面に熱圧着により転写シートを貼り非伸縮性もしくは低伸縮性シートを設けてウェスト背面を覆う領域Ａ（２ａ，２ｂ）、臀部の膨隆部を含む領域Ｂ（３ａ，３ｂ）及び大腿部の後面を含む領域Ｃ（４ａ，４ｂ）に分割して配置し、股関節伸展方向の張力を補強した。
【００５３】
伸縮性ベース生地は、織物を使用し、組織は平織りで、目付けは１１０ｇ／ｍ2。糸使いはタテ糸；ポリウレタン（Ｐｕ）４４ｄｔｅｘ（デシテックス）にナイロン３３ｄｔｅｘ（デシテックス）、フィラメント数１０本をカバーリングした糸、ヨコ糸；ポリウレタン（Ｐｕ）４４ｄｔｅｘ（デシテックス）にナイロン３３ｄｔｅｘ（デシテックス）、フィラメント数１０本をカバーリングした糸を使用した。打ち込み本数は、経糸１６１本／インチ、緯糸２０４本／インチである。この織物は、染色後、撥水加工をした。撥水加工は、フッ素樹脂系撥水剤（七福化学社製の商品名“ＤＰ−１０”）を１０重量％と、バインダ樹脂としてウレタン系樹脂：日華化学株式会社製“エバファノールＡＰ１２”を１重量％採取し、水１０リットルに分散し、撥水性処理液とした。この撥水性処理液を浸漬により７．２重量％となるように伸縮性生地に固着させ、ハーフスパッツに縫製した。
【００５４】
熱圧着による転写シートの非伸縮性もしくは低伸縮性素材部は、ジャパンポリマーク社製  製品名“ポリタフ３”を使用した。転写シートの厚みは１００μｍ、目付けは１２１ｇ／ｍ2。主成分はウレタンであった。
【００５５】
（比較例１）
実施例１で使用した伸縮性ベース生地のみで水着を作製した。
【００５６】
（実施例２）
図２Ａ−Ｂに示す以外は実施例１と同様にハーフスパッツを作製した。
【００５７】
比較例１、実施例１及び実施例２を男子競泳選手５名に着用させ、表１〜３に示した項目についてアンケートをとった。アンケートは５段階評価とし、項目に示した事項が強く感じられる場合は５、かなり感じられる場合は４、やや感じられる場合は３、あまり感じられない場合は２、全く感じない場合は１と評価した。
【００５８】
【表１】
2010007986.tif 000019
【００５９】
【表２】
2010007986.tif 000020
【００６０】
【表３】
2010007986.tif 000021
【００６１】
表１〜３に示す結果から明らかなとおり、比較例１ではいずれの被験者においても、泳動作時の脚が動かしやすいという項目以外は点数が低く、平均点も２〜２．７５点であった。一方、実施例１及び実施例２では、いずれの被験者においても、いずれの項目でも３点以上が得られ、平均点も３．７５点以上であった。また、実施例１と実施例２の比較では大きな差はなかったが、実施例１では平均点が３．７５〜４．５点、実施例２では４〜４．７５点と、実施例２の方がやや高い結果が得られた。
【００６２】
以上の結果から、実施例１及び実施例２における領域Ａ、領域Ｂ及び領域Ｃないしは領域Ｃ’が臀部や大腿部の膨らみを押さえ、上半身に対する下半身の屈曲を抑制していることが確認できた。また、実施例１及び実施例２は形状抵抗が小さく、高いパフォーマンスを発揮できる水着であることが確認できた。更に、全ての被験者が、実施例１及び実施例２を着用した際に大腿後面が吊り上がる、あるいは下半身が浮く感覚を感じていた。また、着用感も良く、動きやすいという評価も得られた。
【００６３】
（比較例２）
実施例１で使用した伸縮性ベース生地のみでワンピースタイプの水着を作製した。実施例１〜２と同様に女子競泳選手５名に着用させ、表４に示した項目についてアンケートをとった。アンケートは５段階評価とし、項目に示した事項が強く感じられる場合は５、かなり感じられる場合は４、やや感じられる場合は３、あまり感じられない場合は２、全く感じない場合は１と評価した。
【００６４】
【表４】
2010007986.tif 000022
【００６５】
（実施例３）
図９Ａ−Ｂに示す以外は実施例１と同様にワンピースタイプの水着を作製した。実施例１〜２と同様に女子競泳選手５名に着用させ、表５に示した項目についてアンケートをとった。アンケートは５段階評価とし、項目に示した事項が強く感じられる場合は５、かなり感じられる場合は４、やや感じられる場合は３、あまり感じられない場合は２、全く感じない場合は１と評価した。
【００６６】
【表５】
2010007986.tif 000023
【００６７】
表４、５に示す結果から明らかなとおり、比較例２ではいずれの被験者においても、泳動作時の脚が動かしやすいという項目以外は点数が低く、平均点も２〜２．７５点であった。一方、実施例３では、いずれの被験者においても、いずれの項目でも３点以上が得られ、平均点も４．２５点以上であった。
【００６８】
以上の結果から実施例１〜２よりもさらに高い評価を得た上、記録も良好であった。また、実施例３の脚の動かしやすさについても、比較例２とほぼ同等の回答が得られたことから、領域Ｃに設けたスリットによって脚が動かしやすくなっていることが確認できた。
【産業上の利用可能性】
【００６９】
本発明のスポーツウエアは、水着以外にもバスケットボールやバレーボールなどの球技、陸上競技の走種目、跳躍種目及び投擲種目を含む競技用ウエア、更に、スピードスケートやスキーなど、股関節を屈曲したクラウチング姿勢で行う競技用のウエアとしても有用である。
【符号の説明】
【００７０】
１  伸縮性ベース生地
２ａ，２ｂ  領域Ａ
３ａ，３ｂ  領域Ｂ
４ａ，４ｂ  領域Ｃ
５ａ，５ｂ  領域Ｃ’
６ａ，６ｂ  領域Ｃ”
７ａ，７ｂ  領域Ｄ
８ａ，８ｂ  脛部
９  ファスナー
１０，１１，１２，１３，１４  水泳用ハーフスパッツ
１５，１６  ワンピースタイプの水着
２０  大臀筋
２１  中臀筋
２２  腸脛靭帯上部
２３  大内転筋上部
２４  大臀筋の収縮方向
２５ａ，２５ｂ，２８ａ，２８ｂ  胸部
２６ａ〜２６ｃ，２７ａ〜２７ｃ，２９  腹部
３０，３１，４０，４１，４４  張力発生方向
３２，４２  大臀筋の収縮方向
３３，４３  皮膚の伸展方向
【手続補正３】
【補正対象書類名】図面
【補正対象項目名】全図
【補正方法】変更
【補正の内容】
【図１】
2010007986.tif 000024
【図２】
2010007986.tif 000025
【図３】
2010007986.tif 000026
【図４】
2010007986.tif 000027
【図５】
2010007986.tif 000028
【図６】
2010007986.tif 000029
【図７】
2010007986.tif 000030
【図８Ａ】
2010007986.tif 000031
【図８Ｂ】
2010007986.tif 000032
【図９Ａ】
2010007986.tif 000033
【図９Ｂ】
2010007986.tif 000034
【手続補正書】
【提出日】平成23年1月31日(2011.1.31)
【手続補正１】
【補正対象書類名】明細書
【補正対象項目名】００２１
【補正方法】変更
【補正の内容】
【００２１】
本発明においては、前記非伸縮性ないしは低伸縮性素材を、さらに大腿四頭筋を覆う領域Ｄに分離して配置することも好ましい。これにより大腿部のふくらみを抑え、水の抵抗を低くすることができる。
【手続補正２】
【補正対象書類名】明細書
【補正対象項目名】００３９
【補正方法】変更
【補正の内容】
【００３９】
図２Ａは本発明の別の実施例における水泳用ハーフスパッツ１１の正面図、図２Ｂは同背面図である。図２Ａ−Ｂにおいて、伸縮性ベース生地（１）により主要部を構成する。そして、非伸縮性ないしは低伸縮性素材を少なくともウェスト背面を覆う領域Ａ（２ａ，２ｂ）と、両臀部の膨隆部を含む領域Ｂ（３ａ，３ｂ）と、両大腿部の後面から連続的に大腿内側面を含む領域Ｃ’（５ａ，５ｂ）と、大腿四頭筋を覆う領域Ｄ（７ａ，７ｂ）に分割して配置している。これにより脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。
【手続補正３】
【補正対象書類名】明細書
【補正対象項目名】００４１
【補正方法】変更
【補正の内容】
【００４１】
図４Ａは本発明のさらに別の実施例における水泳用ハーフスパッツ１３の正面図、図４Ｂは同背面図である。図２Ａ−Ｂと相違する点は、大腿四頭筋を覆う領域Ｄ（７ａ，７ｂ）がない点である。
【手続補正４】
【補正対象書類名】明細書
【補正対象項目名】００４８
【補正方法】変更
【補正の内容】
【００４８】
図８Ａは本発明の一実施例におけるワンピースタイプの水着の正面図、図８Ｂは同背面図である。図８Ａ−Ｂにおいて、伸縮性ベース生地（１）により主要部を構成する。そして、非伸縮性ないしは低伸縮性素材を少なくともウェスト背面を覆う領域Ａ（２ａ，２ｂ）と、両臀部の膨隆部を含む領域Ｂ（３ａ，３ｂ）と、両大腿部の後面から連続的に大腿内側面を含む領域Ｃ’（５ａ，５ｂ）と、大腿四頭筋を覆う領域Ｄ（７ａ，７ｂ）に分割して配置している。これにより脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。さらに、左右胸部２８ａ，２８ｂと腹部２９に非伸縮性ないしは低伸縮性素材が配置されて補強されている。左右胸部２８ａ，２８ｂの非伸縮性ないしは低伸縮性素材は、大胸筋や乳房部が突出することを防ぎ、水の抵抗を低くすることができる。また、腹部２９の非伸縮性ないしは低伸縮性素材は、腹部の内圧を高めることで、腰部が曲がりにくく、フラットなストリームラインを保持できる。
【手続補正５】
【補正対象書類名】明細書
【補正対象項目名】００４９
【補正方法】変更
【補正の内容】
【００４９】
図９Ａは本発明の別の実施例におけるワンピースタイプの水着の正面図、図９Ｂは同背面図である。図９Ｂの背面図に示すように、図８Ｂの非伸縮性ないしは低伸縮性素材を少なくともウェスト背面を覆う領域Ａ（２ａ，２ｂ）と、両臀部の膨隆部を含む領域Ｂ（３ａ，３ｂ）と、両大腿部の後面から連続的に大腿内側面を含む領域Ｃ’（５ａ，５ｂ）と、大腿四頭筋を覆う領域Ｄ（７ａ，７ｂ）に分割して配置していることは共通している。相違点は領域Ａ（２ａ，２ｂ）の面積が大きいこと、領域Ｂ（３ａ，３ｂ）と領域Ｃ’（５ａ，５ｂ）との間隙部の中央部が凹んでいる形状であることである。効果は図８Ａ−Ｂの例と同じく、脚部を吊り上げる効果をより強化することができ、また股関節内転筋群を覆うことにより股関節が外転することによる形状抵抗の増大を抑制し、さらに大腿部のふくらみを抑えることで、水の抵抗を低くすることができる。この水着はファスナー９を開閉して着脱する。図９Ａに示すように、左右胸部２５ａ，２５ｂと腹部２６ａ〜２６ｃ，２７ａ〜２７ｃに非伸縮性ないしは低伸縮性素材が配置されて補強されている。左右胸部２５ａ，２５ｂの非伸縮性ないしは低伸縮性素材は、大胸筋や乳房部が突出することを防ぎ、水の抵抗を低くすることができる。また、腹部２６ａ〜２６ｃ，２７ａ〜２７ｃの非伸縮性ないしは低伸縮性素材は、腹部の内圧を高めることで、腰部が曲がりにくく、フラットなストリームラインを保持できる。さらに脛部８ａ〜８ｂにＶ字又はＵ字形の非伸縮性ないしは低伸縮性素材が配置され補強されていてもよい。これにより、水中で膝の折れ曲がりを防ぎフラットなストリームラインを保持できる。前記領域Ａ（２ａ，２ｂ）、領域Ｃ’（５ａ，５ｂ）、領域Ｄ（７ａ，７ｂ）、左右胸部２５ａ，２５ｂ及び腹部２６ａ〜２６ｃ，２７ａ〜２７ｃの非伸縮性ないしは低伸縮性素材には筋状に見える幅１ｍｍのスリットが形成されている。これにより、伸縮性を発現させ、着用時の着心地を良くし、着脱も容易にできる。
【国際調査報告】
2010007986.tif 000035
2010007986.tif 000036
2010007986.tif 000037
2010007986.tif 000038